(57)【特許請求の範囲】
【請求項１】
少なくとも１つの収納ボックスが備えられた本体ボックスと、
消火剤が加圧状態で貯蔵されている消火剤容器が収容され、かつ前記本体ボックスに固定されている消火剤収容ボックスと、
前記収納ボックスの内部に備えられた電源コンセント、バッテリー充電器または携帯電話機の充電プラグと、
前記消火剤容器に圧力バルブを介して接続され、かつ不活性ガスが加圧状態で充填され、該圧力バルブに接続されているバルブ接続端部から末端まで前記不活性ガスが連通する連通構造を有する消火剤管部材とを有し、
前記収納ボックスは、施錠可能な前面扉を有し、
前記消火剤管部材は、前記消火剤収容ボックスから導出されている部分が前記収納ボックス内の発火の消火に用いられる消火用部分であって、該消火用部分が前記収納ボックスのすべてを通り、かつ前記収納ボックスすべての内側上面に固定された状態で配置されている消火充電ロッカー。
【請求項２】
前記電源コンセント、バッテリー充電器または携帯電話機の充電プラグに電力を供給する電力供給手段と、
該電力供給手段による前記電源コンセント、バッテリー充電器または携帯電話機の充電プラグへの電力供給を遮断する電力供給遮断手段と、
前記消火剤管部材について、前記不活性ガスの充填圧力が減少したときに前記電力供給遮断手段を作動させる圧力作動手段とを更に有し、
前記電力供給手段、電力供給遮断手段および圧力作動手段が前記消火剤容器とともに前記消火剤収容ボックスに収容されている請求項１記載の消火充電ロッカー。
【請求項３】
前記本体ボックスは、前記収納ボックスが水平方向に並んだボックス段部が垂直方向に少なくとも２つ重なった段部積層構造を有し、
前記消火剤管部材の前記消火用部分が、前記消火剤管部材の前記バルブ接続端部からの長さである配管長が最も短くなる位置に配置されている上流端部と、該配管長が最も長くなる位置に配置されている下流端部と、該上流端部と該下流端部とを結ぶ段部ラインとを前記ボックス段部それぞれに沿った部分に有し、かつ前記ボックス段部それぞれの前記段部ラインをつなぐ下降ラインを有し、
前記段部ラインが前記ボックス段部それぞれについて、水平方向に並んだ前記収納ボックスすべての前記内側上面に固定され、かつ前記下降ラインが水平方向に並んだ前記収納ボックスのいずれか１つの内側側面に固定されている請求項１または２記載の消火充電ロッカー。
【請求項４】
前記消火剤管部材は、前記ボックス段部のうちの最上段に配置されている最上ボックス段部に沿って配置されている前記上流端部から、前記ボックス段部のうちの最下段に配置されている最下ボックス段部に沿って配置されている前記下流端部まで、前記段部ラインと前記下降ラインとがつながった一本の長尺管状部材であり、かつＵ字状の屈曲部が連続している連続Ｕ字状に配置されている請求項３記載の消火充電ロッカー。
【請求項５】
前記消火剤管部材は、前記消火用部分を２つに分岐させる分岐部が前記ボックス段部のそれぞれに形成され、該分岐部を介して前記ボックス段部それぞれの前記段部ラインと前記下降ラインとがつながった多段分岐構造を有する請求項３記載の消火充電ロッカー。
【請求項６】
前記消火剤管部材のうちの前記消火剤収容ボックスに収容されているボックス収容部分に、前記消火用部分に向かって該ボックス収容部分を２つに分岐されるボックス内分岐部が形成され、該ボックス内分岐部の出力側の一方が前記圧力作動手段に接続されている請求項２記載の消火充電ロッカー。
【請求項７】
前記消火用部分が前記収納ボックスの前記内側上面の奥行方向中間または該奥行方向中間よりも背面側に固定されている請求項１〜６のいずれか一項記載の消火充電ロッカー。
【請求項８】
前記消火剤収容ボックスが前記本体ボックスの外側上面に固定されている請求項１〜７のいずれか一項記載の消火充電ロッカー。
【発明の詳細な説明】
【技術分野】
【０００１】
本発明は、施錠可能な収納ボックスを備え、その収納ボックスに消火設備および充電設備が備えられている消火充電ロッカーに関する。
【背景技術】
【０００２】
従来、施錠可能な収納ボックスを複数備え、各収納ボックスに充電設備が備えられているロッカー（充電ロッカーともいう）が知られている。
【０００３】
例えば、特許文献１、特許文献２には、施錠可能な開閉扉を有する収納ボックスの内部に充電器または携帯電話機の充電プラグを備え、その充電器または充電プラグを用いて電動アシスト自転車のバッテリーまたは携帯電話機を保管中に充電可能とした充電ロッカーが開示されている。
【０００４】
また、特許文献３には、施錠可能な開閉扉と、内部に設けられた電源コンセントとを備えた複数の収納ボックスと、金銭投入器とを備え、金銭投入器への投入金額に応じて、バッテリーが搭載されているノート型のパーソナルコンピュータやデジタルカメラといった小型電子機器を保管中に充電できる充電ロッカーが開示されている。
【先行技術文献】
【特許文献】
【０００５】
【特許文献１】特開２０１３−６６３１５号公報
【特許文献２】特開平１１−１２６２７７号公報
【特許文献３】特開２００５−４３３８号公報
【特許文献４】特開２０１８−１９６８３３号公報
【発明の概要】
【発明が解決しようとする課題】
【０００６】
前述した従来の充電ロッカーは、各収納ボックスが施錠可能であり、その内部に充電器、充電プラグまたは電源コンセントが備えられている。そのため、バッテリーが組み込まれている携帯電話機や、ノート型のパーソナルコンピュータ、デジタルカメラ等の小型電子機器、電動工具、またはそれらから取り外されたバッテリー、電動アシスト自転車のバッテリーなどを収納ボックスに収納して施錠することにより、盗難防止とともに保管中の充電が実現される。
【０００７】
しかし、充電が収納ボックス内で継続している場合、バッテリーの種類（例えば、リチウムイオン電池）によっては、バッテリーの劣化や過充電、バッテリー自体の損傷によって、バッテリーが発火するおそれがある。しかも、充電ロッカーがスチール製であるときは、バッテリーが発火してもその状況が外部からは発見されにくいため、消火作業が遅れ、バッテリーの発火による火災が広がるおそれもある。さらに、収納ボックスが施錠されていると、発火した収納ボックスが直ちに開放され得ない（鍵が無い場合や、暗証番号が不明などにより）ことがあり、このことに起因して、消火作業がさらに遅れるおそれもある。
【０００８】
とりわけ、小型電子機器や電動工具の場合、メーカの純正品とは異なる非純正品のバッテリーが安価故に装着されている場合もある。そうした非純正品のバッテリーには、コンタミネーション（製造時異物混入）等の製造上の不良や設計上の問題といった純正品には無いことが原因となった劣化が起きやすく、それだけ発火するおそれも高い。
【０００９】
こうした課題の解決のため、例えば、特許文献４に開示されている自動消火具のようなチューブ状の消火設備が充電ロッカーに配置されると、収納ボックス内での発火が消火できるのではないかと考えられる。
【００１０】
しかし、特許文献４に開示されている消火設備が充電ロッカーに配置される場合、その消火設備は、充電ロッカーの両側面と上面に配置される。すると、充電ロッカーにおける収納ボックスの配置によっては、消火設備が有効に配置されないために確実に消火されないおそれがある。
【００１１】
例えば、図１３に示すように、収納ボックス２０１，２０２，２０３，２０４を有する上下２段の充電ロッカー２００に消火設備２１０が配置される場合、収納ボックス２０１の側面２０１ａ，上面２０１ｂ、収納ボックス２０２の側面２０２ａ、収納ボックス２０３の側面２０３ａ，上面２０３ｂ、収納ボックス２０４の側面２０４ａに消火設備２１０が配置される。収納ボックス２０２，２０４については消火設備２１０が側面２０２ａ、側面２０４ａに配置されるのみで上面には配置されない。すると、消火設備２１０の消火剤が常温で液状であるから、その消火剤が側面２０２ａ、側面２０４ａから噴霧されても発火箇所に的確に到達しないおそれがあり、それ故、収納ボックス２０２，２０４については確実に消火されないおそれがある。
【００１２】
また、図１４に示すように、収納ボックス３０１，３０２，３０３，３０４，３０５，３０６を有する上下２段の充電ロッカー３００に消火設備３１０が配置される場合、収納ボックス３０１の側面３０１ａ，上面３０１ｂ、収納ボックス３０２の側面３０２ａ、収納ボックス３０３の上面３０３ｂ、収納ボックス３０５の側面３０５ａ，上面３０５ｂ、収納ボックス３０６の側面３０６ａに消火設備３１０が配置される。すると、収納ボックス３０２，３０６については消火設備３１０が側面３０２ａ、側面３０６ａに配置されるのみで上面には配置されないし、収納ボックス３０４については、消火設備３１０が何ら配置されないから、収納ボックス３０２，３０４，３０６については確実に消火されないおそれがある。
【００１３】
この点、特許文献４の消火設備が収納ボックスそれぞれに配置されることで上記の課題が解決されるのではないか、と考えられる。
【００１４】
しかし、そうすると、収納ボックスの設置数に応じた数量の消火設備が必要とされるため、収納ボックスの設置数が増加するに伴い、消火設備の数量が増加し、充電ロッカーのコストが上昇する。
【００１５】
また、消火設備には定期的な点検作業が必要である。消火設備の数量が増加すれば、その分、点検作業に手間も時間も要するし、消火設備を見落とすなどして点検漏れが出るおそれも高くなる。そのため、収納ボックスそれぞれに個別（物理的に別体）の消火設備が配置されることは適切ではない。
【００１６】
本発明は、上記課題を解決するためになされたもので、収納ボックスの設置数に関わらず、その内部で発生する発火がすべての収納ボックスについて単一の消火設備で確実に消火できて、点検作業が簡便かつ確実に行えるように工夫された構造を有する消火充電ロッカーを提供することを目的とする。
【課題を解決するための手段】
【００１７】
上記課題を解決するため、本発明は、少なくとも１つの収納ボックスが備えられた本体ボックスと、消火剤が加圧状態で貯蔵されている消火剤容器が収容され、かつ本体ボックスに固定されている消火剤収容ボックスと、収納ボックスの内部に備えられた電源コンセント、バッテリー充電器または携帯電話機の充電プラグと、消火剤容器に圧力バルブを介して接続され、かつ不活性ガスが加圧状態で充填され、その圧力バルブに接続されているバルブ接続端部から末端まで不活性ガスが連通する連通構造を有する消火剤管部材とを有し、収納ボックスは、施錠可能な前面扉を有し、消火剤管部材は、消火剤収容ボックスから導出されている部分が収納ボックス内の発火の消火に用いられる消火用部分であって、その消火用部分が収納ボックスのすべてを通り、かつ収納ボックスすべての内側上面に固定された状態で配置されている消火充電ロッカーを提供する。
【００１８】
上記消火充電ロッカーにおいて、電源コンセント、バッテリー充電器または携帯電話機の充電プラグに電力を供給する電力供給手段と、その電力供給手段による電源コンセント、バッテリー充電器または携帯電話機の充電プラグへの電力供給を遮断する電力供給遮断手段と、消火剤管部材について、不活性ガスの充填圧力が減少したときに電力供給遮断手段を作動させる圧力作動手段とを更に有し、電力供給手段、電力供給遮断手段および圧力作動手段が消火剤容器とともに消火剤収容ボックスに収容されていることが好ましい。
【００１９】
また、上記消火充電ロッカーにおいて、本体ボックスは、収納ボックスが水平方向に並んだボックス段部が垂直方向に少なくとも２つ重なった段部積層構造を有し、消火剤管部材の消火用部分が、消火剤管部材のバルブ接続端部からの長さである配管長が最も短くなる位置に配置されている上流端部と、その配管長が最も長くなる位置に配置されている下流端部と、その上流端部とその下流端部とを結ぶ段部ラインとをボックス段部それぞれに沿った部分に有し、かつボックス段部それぞれの段部ラインをつなぐ下降ラインを有し、段部ラインがボックス段部それぞれについて、水平方向に並んだ収納ボックスすべての内側上面に固定され、かつ下降ラインが水平方向に並んだ収納ボックスのいずれか１つの内側側面に固定されていることが好ましい。
【００２０】
さらに、上記消火充電ロッカーにおいて、消火剤管部材は、ボックス段部のうちの最上段に配置されている最上ボックス段部に沿って配置されている上流端部から、ボックス段部のうちの最下段に配置されている最下ボックス段部に沿って配置されている下流端部まで、段部ラインと下降ラインとがつながった一本の長尺管状部材であり、かつＵ字状の屈曲部が連続している連続Ｕ字状に配置されていることが好ましい。
【００２１】
また、消火剤管部材は、消火用部分を２つに分岐させる分岐部がボックス段部のそれぞれに形成され、その分岐部を介してボックス段部それぞれの段部ラインと下降ラインとがつながった多段分岐構造を有するようにすることもできる。
【００２２】
さらに、消火剤管部材のうちの消火剤収容ボックスに収容されているボックス収容部分に、消火用部分に向かってそのボックス収容部分を２つに分岐されるボックス内分岐部が形成され、そのボックス内分岐部の出力側の一方が圧力作動手段に接続されているようにすることもできる。
【００２３】
また、消火用部分が収納ボックスの内側上面の奥行方向中間またはその奥行方向中間よりも背面側に固定されていることが好ましい。
【００２４】
消火剤収容ボックスが本体ボックスの外側上面に固定されていることが好ましい。
【発明の効果】
【００２５】
以上詳述したように、本発明によれば、収納ボックスの設置数に関わらず、その内部で発生する発火がすべての収納ボックスについて単一の消火設備で確実に消火できて、点検作業が簡便かつ確実に行えるように工夫された構造を有する消火充電ロッカーが得られる。
【図面の簡単な説明】
【００２６】
【図１】本発明の実施の形態に係る消火充電ロッカーの正面図である。
【図２】同じく、各収納ボックスの前面扉を省略したうえで、要部を図示した正面図である。
【図３】図１の消火充電ロッカー全体における消火剤チューブの配置構造を模式的に示した正面図である。
【図４】図１の消火充電ロッカーに配置されている消火剤チューブを示した正面図である。
【図５】図１の消火充電ロッカーの最上ボックス段部の右端に配置されている収納ボックスおよびその周辺につき、前面扉を開放して示した斜視図である。
【図６】図１の消火充電ロッカーの要部を示した背面図である。
【図７】消火剤収容ボックスの要部を示した平面図である。
【図８】図１の消火充電ロッカーの収納ボックス内で発火があったときの消火および再発火防止にかかる動作内容を示したフローチャートである。
【図９】変形例に係る消火充電ロッカーにおける消火剤チューブの配置構造を模式的に示した図で、（ａ）は収納ボックスが１つの場合の図、（ｂ）は収納ボックスが２つでボックス段部が１つ場合の図、（ｃ）は収納ボックスが２つでボックス段部が２つの場合の図である。
【図１０】変形例にかかる消火充電ロッカーの最上ボックス段部の右端に配置されている収納ボックスおよびその周辺につき、前面扉を開放して示した斜視図である。
【図１１】変形例にかかる消火充電ロッカーの消火剤チューブの配置構造を模式的に示した正面図である。
【図１２】図１１の消火充電ロッカーに配置されている消火剤チューブを示した正面図である。
【図１３】従来の上下２段の充電ロッカーに消火設備が配置された場合の斜視図である。
【図１４】収納ボックス数が図１３とは異なる従来の上下２段の充電ロッカーに消火設備が配置された場合の斜視図である。
【発明を実施するための形態】
【００２７】
以下、本発明の実施の形態について図面を参照しつつ説明する。なお、同一要素には同一符号を用い、重複する説明は省略する。
【００２８】
本発明の実施の形態に係る消火充電ロッカー１０１について、図１〜図７を参照して説明する。ここで、図１は、本発明の実施の形態に係る消火充電ロッカー１０１の正面図である。図２は、消火充電ロッカー１０１の収納ボックス２〜９の前面扉１０を省略したうえで、要部を図示した正面図である。図３は、消火剤チューブ３０の配置構造を模式的に示した正面図、図４は、消火剤チューブ３０を示した正面図である。図５は、最上ボックス段部２１の右端に配置されている収納ボックス２Ｃおよびその周辺につき、前面扉１０を開放して示した斜視図である。図６は、消火充電ロッカー１０１の要部を示した背面図、図７は、消火剤収容ボックス６０の要部を示した平面図である。
【００２９】
（消火充電ロッカーの構成）
本発明の実施の形態に係る消火充電ロッカー１０１は、図１〜図３に示すように、本体ボックス１と、消火剤収容ボックス６０とを有している。本体ボックス１と消火剤収容ボックス６０は、どちらもスチール製の部材である。本体ボックス１は、縦長の直方体であり、その外側上面１ａに消火剤収容ボックス６０が固定されている。
【００３０】
（本体ボックスの構成）
本体ボックス１は、複数の収納ボックス２（２Ａ，２Ｂ，２Ｃ），３（３Ａ，３Ｂ，３Ｃ），４（４Ａ，４Ｂ，４Ｃ），５（５Ａ，５Ｂ，５Ｃ），６（６Ａ，６Ｂ，６Ｃ），７（７Ａ，７Ｂ，７Ｃ），８（８Ａ，８Ｂ，８Ｃ），９（９Ａ，９Ｂ，９Ｃ）を有している。収納ボックス２〜９として、それぞれ水平方向に３つの収納ボックス（例えば、収納ボックス２であれば、正面から向かって左側から順に２Ａ，２Ｂ，２Ｃ）が配置されている。その水平方向に並んだ３つの収納ボックスによって、八つのボックス段部２１，２２，２３，２４，２５，２６，２７，２８が構成されている。八つのボックス段部２１，２２，２３，２４，２５，２６，２７，２８が垂直方向に重なっているので、本体ボックス１は段部積層構造を有している。ボックス段部２１〜２８のそれぞれに三つの収納ボックスが配置されているので、本体ボックス１には、合計で２４個の収納ボックス２〜９が備えられている。
【００３１】
そして、消火剤収容ボックス６０から下段に向かって順にボックス段部２１〜２８が配置されている。ボックス段部２１が最上段に配置されているため最上ボックス段部に相当する。ボックス段部２８が最下段に配置されているため最下ボックス段部に相当する。
【００３２】
本体ボックス１は、図２、図５に示すように、直方体状の外側フレームの内側に複数の仕切板１２と棚板１３とが固定されることによって内側の空間が区切られている。それによって、上述の収納ボックス２〜９が形成されている。また、図６に示すように、その背面１Ａに後述するカバー体５１と、コンセントコネクタ３９が接続されている。
【００３３】
図１，図５に示すように、各収納ボックス２〜９は、施錠可能な前面扉１０を有している。その前面扉１０には、施錠部１１が設けられている。施錠部１１は、４桁のナンバーロック１１ａと、施錠開錠つまみ１１ｂが設けられている。ナンバーロック１１ａは暗証番号の設定および解除、施錠開錠つまみ１１ｂは、前面扉１０の施錠、開錠に用いられる。
【００３４】
図５に示すように、各収納ボックス２〜９は、内側背面１４，内側側面１５，内側底面１５ｂ、内側上面１６によって囲まれている収納空間を有している。その内側背面１４に充電設備としての電源コンセント１９が固定されている。また、内側上面１６（または／および内側側面１５）には、消火設備としての消火剤チューブ３０が留め具１７を用いて固定された状態で配置されている。
【００３５】
図４に示すように、消火剤チューブ３０は、一本の長尺管状の部材であって、例えばポリエチレン等の樹脂材で形成されている。その内部には不活性ガス（例えば、窒素ガス）が加圧状態で充填されている。消火剤チューブ３０は、後述する消火剤ボンベ５２の圧力バルブ５２ａに接続され、末端にエンドアダプター３４が接続されている（図４では、図示の都合上、消火剤チューブ３０の長さや太さが図２、図３とは変更されている）。
【００３６】
そして、消火剤チューブ３０は連通構造を有している。連通構造とは、圧力バルブ５２ａに接続されている部分（バルブ接続端部３０ａ）から末端（エンドアダプター３４によって閉鎖）まで、不活性ガスが連通する（不活性ガスが仕切られることなく連続して通過し得る状態）構造である。
【００３７】
消火剤チューブ３０は、後述する消火剤容器５２の圧力バルブ５２ａに接続されているため、その一部が消火剤収容ボックスａに収容されているボックス収容部分３２（図７参照、詳しくは後述する）になっている。それ以外の部分が消火剤収容ボックス６０から導出されて消火用部分３１となっている。消火用部分３１は収納ボックス２〜９の内部で発生する発火の消火に用いられる部分である。
【００３８】
そして、図２，図３に詳しく示すように、その消火用部分３１が各収納ボックス２〜９のすべてを通り、かつ各収納ボックス２〜９の内側上面１６に留め具１７を用いて固定された状態で配置されている。その際、消火用部分３１は、各収納ボックス２〜９を仕切る仕切板１２、棚板１３に形成されている図示しない貫通孔に挿通されている。
【００３９】
図３，図４に示すように、消火用部分３１は、上流端部３３ａと、下流端部３３ｂと、段部ライン３３ｃと、下降ライン３３ｄとを有している。上流端部３３ａはそれぞれのボックス段部２１〜２８において、配管長が最も短くなる位置に配置されている部分、下流端部３３ｂは配管長が最も長くなる位置に配置されている部分である。配管長とは、消火剤チューブ３０のバルブ接続端部３０ａからの長さに相当する。段部ライン３３ｃは、それぞれのボックス段部２１〜２８において、上流端部３３ａと下流端部３３ｂとを結ぶ概ね直線状に配置されている部分である。下降ライン３３ｄはボックス段部２１〜２８それぞれの段部ライン３３ｃをつなぐ部分である。
【００４０】
また、各ボックス段部２１〜２８において、段部ライン３３ｃが各ボックス収納部２〜９（各ボックス段部２１〜２８において、水平方向に並んだ三つの収納ボックス）の内側上面１６に固定されている。下降ライン３３ｄは水平方向に並んだ三つの収納ボックスのいずれか一つ（ボックス収納部２Ｃ，３Ａ，４Ｃ，５Ａ，６Ｃ，７Ａ，８Ｃ，９Ａ）の内側側面１５に固定されている。
【００４１】
そして、図３，図４に示すように、消火剤チューブ３０は、最上ボックス段部２１に沿って配置されている上流端部３３ａから、最下ボックス段部２８に沿って配置されている下流端部３３ｂを経てエンドアダプター３４まで、段部ライン３３ｃと下降ライン３３ｄとがつながっている。これによって、消火剤チューブ３０は、Ｕ字状に屈曲している部分（例えば、図４において、破線で囲まれた部分で屈曲部ともいう）が連続している連続Ｕ字状に配置されている。
【００４２】
さらに、図５に示すように、消火用部分３１は内側上面１６の奥行方向中間または奥行方向中間よりも背面側に固定されている。段部ライン３３ｃが内側上面１６の奥行方向中間または奥行方向中間よりも背面側に固定され、下降ライン３３ｄが内側側面１５の奥行方向中間または奥行方向中間よりも背面側に固定されている。内側背面１４から消火用部分３１までの間隔Ｄ１、消火用部分３１から前面扉１０までの間隔Ｄ２に関して、Ｄ１≦Ｄ２である。
【００４３】
（消火剤収容ボックスの構成）
消火剤収容ボックス６０は、本体ボックス１よりも大きさの小さい横長の直方体である。図２に示すように、消火剤収容ボックス６０は、本体部６１と、開閉蓋６２とを有している。
【００４４】
図７に示すように、本体部６１には、消火剤ボンベ５２と、消火剤チューブ３０のボックス収容部分３２と、分岐管４１と、圧力スイッチ４２と、接続部４４と、メインブレーカ４５と、漏電ブレーカ４６，４７，４８，４９とが収容され、いずれも本体部６１の底部に固定されている。
【００４５】
消火剤ボンベ５２は、消火剤容器であって、消火剤が加圧状態で貯蔵されている。消火剤は、例えば、ＮＯＶＥＣ（登録商標）１２３０が用いられる。消火剤ボンベ５２は、消火剤の噴出口に圧力バルブ５２ａが接続されている。また、圧力確認ゲージ５２ｂ、５２ｃが平面視で目視可能（平面視で数値読み取り可能な状態）に接続されている。圧力確認ゲージ５２ｃは、消火剤チューブ３０内の圧力（不活性ガスの充填圧力）確認に用いられる。圧力確認ゲージ５２ｂは、消火剤ボンベ５２内の圧力（消火剤の充填圧力）確認に用いられる。
【００４６】
圧力バルブ５２ａには、消火剤チューブ３０のバルブ接続端部３０ａが接続されている。消火剤チューブ３０のバルブ接続端部３０ａから挿通孔６１ｂ（消火剤チューブ３０を本体部６１から本体ボックス１につなぐため、本体部６１の底部に形成されている孔部）までの部分と、圧力スイッチ４２につながる部分（後述する支流部３２ａ）がボックス収容部分３２である。そのボックス収容部分３２にボックス内分岐部３２ｂが形成されている。ボックス内分岐部３２ｂは、消火用部分３１に向かってボックス収容部分３２を２つに分岐させる部分である。分岐管４１が接続されることによって、ボックス内分岐部３２ｂが形成されている。分岐管４１は金属管状の部材である。分岐管４１はボックス収容部分３２の消火用部分側（消火剤ボンベ５２からみて下流側）が二つに分岐されるように接続されている。
【００４７】
ボックス内分岐部３２ｂ（分岐管４１）の出力側の一方がボックス収容部分３２（支流部３２ａ）を介して圧力スイッチ４２に接続されている。また、ボックス内分岐部３２ｂ（分岐管４１）の出力側の他方がボックス収容部分３２に接続されている。消火剤チューブ３０は連通構造を有しているので、ボックス収容部分３２にも消火用部分３１と同様の不活性ガスの充填圧力が常時加わっている。その充填圧力は支流部３２ａを介して圧力スイッチ４２にも常時加わっている。その充填圧力が圧力確認ゲージ５２ｃによって確認される。
【００４８】
圧力スイッチ４２は、本発明における圧力作動手段に相当している。圧力スイッチ４２は、消火剤チューブ３０内の不活性ガスの充填圧力が特定の圧力に減少したときに内蔵されているスイッチ（図示せず）を作動させる。また、圧力スイッチ４２は、接続ケーブル４３ａを介して、メインブレーカ４５のテストリード端子４５ｅに接続されている。
【００４９】
接続部４４には、その入力側に図示しない単相三線式の商用電源が接続されている。出力側がメインブレーカ４５の電源側端子４５ｆに接続されている。
【００５０】
メインブレーカ４５は、定格電流６０アンペアの漏電遮断器（単相三線式中性線の欠損による過電圧から負荷機器を保護する機能を有する）である。メインブレーカ４５は、各収納ボックス２〜９に収納されているバッテリーが発火した際、電源コンセント１９への電力供給を遮断するから、本発明における電力供給遮断手段に相当する。また、メインブレーカ４５、漏電ブレーカ４６，４７，４８，４９を介して、電源コンセント１９への電力供給が行われるので、メインブレーカ４５、漏電ブレーカ４６，４７，４８，４９は本発明における電力供給手段に相当する。
【００５１】
メインブレーカ４５には、過電圧によるトリップ入力線４３ｂが接続され、電源側端子４５ｆが接続ケーブルを介して接続部４４に接続されている。また、負荷側端子４５ａと負荷側端子４５ｂとに単相２００ｖの負荷がかかり、負荷側端子４５ａと負荷側端子４５ｄ、負荷側端子４５ｂと負荷側端子４５ｄとに単相１００ｖの負荷がかかるように、漏電ブレーカ４６，４７，４８，４９が接続されている。
【００５２】
そして、漏電ブレーカ４６，４７，４８，４９は定格電流２０アンペアであり、そのそれぞれに対して、ボックス段部２１〜２８が二段ずつ割り当てられている。ボックス段部２１〜２８のそれぞれに三つの電源コンセント１９（三つの収納ボックスがあるため）が配置されているので、漏電ブレーカ４６，４７，４８，４９のそれぞれに六個の電源コンセント１９が割り当てられて、各電源コンセント１９につながる４系統（各系統につき６個）のケーブル５０が接続されている。
【００５３】
そして、図６に示すように、ケーブル５０は、本体ボックス１の背面１Ａに固定されているカバー体５１内を通過してコンセントコネクタ３９に接続されている。各系統のケーブル５０に６つのコンセントコネクタ３９（ボックス段部２１〜２８の二段分の電源コンセント１９に接続されている）が接続され，そのそれぞれのコンセントコネクタ３９に電源コンセント１９が接続されている。また、各コンセントコネクタ３９の間に接続カバー３９ａが形成され、その内側にケーブル５０が配置されている。
【００５４】
（消火充電ロッカー１０１の動作内容、作用効果）
消火充電ロッカー１０１は、例えば、駐輪場、高層ビルや高層マンション等の工事現場、宿泊施設、商業施設、駅構内、空港等に設置して使用される。このとき、図示しない単相三線式の商用電源が接続部４４に接続された状態で使用される。
【００５５】
接続部４４からメインブレーカ４５、漏電ブレーカ４６，４７，４８，４９を介して各収納ボックス２〜９の電源コンセント１９に電力供給が行われる。漏電ブレーカ４６，４７，４８，４９の定格電流が２０アンペアなので、１系統（電源コンセント１９の六個分）につき、最大２０アンペアまで使用できる。最大２０アンペアが４系統あるので、メインブレーカとしては８０アンペアを要することになるが、各収納ボックス２〜９における使用率（収納ボックス２〜９全体の中で電源コンセント１９が使用されている割合）を考慮して、メインブレーカ４５につき、定格電流６０アンペアとされている。
【００５６】
一方、各収納ボックス２〜９には電源コンセント１９が設置されているので、前面扉１０を開けてその中にノート型のパーソナルコンピュータ、デジタルカメラ等の小型電子機器を収納し、その状態でそれぞれの電源ケーブルを電源コンセント１９に接続することで、小型電子機器に装着されているバッテリーに充電することができる。また、電源コンセント１９に図示しない充電器が接続され、その充電器に電動工具や、電動アシスト付き自転車のバッテリーを装着すれば、そのバッテリーを充電することができる。それから、前面扉１０を閉めて、暗証番号を設定すれば収納ボックス２〜９が施錠可能であるから、小型電子機器やバッテリーの盗難防止にもなる。
【００５７】
そして、収納ボックス２〜９のいずれかにおいて、充電しているバッテリーが発火したとする。その場合の消火充電ロッカー１０１の動作手順が図８に示されている。
【００５８】
図８に示すように、収納ボックス２〜９のいずれかで充電中にバッテリーが発火したとする（Ｓ１）。すると、収納ボックス２〜９のすべてに消火剤チューブ３０が配置されているので、どの収納ボックス２〜９で発火があっても、その発火による熱が消火剤チューブ３０の消火用部分３１に確実に伝わる。その消火剤チューブ３０は樹脂材で形成されているため、その発火による熱で溶けて孔が開く。消火剤チューブ３０には、不活性ガスが加圧状態で充填されているため、その孔から不活性ガスが放出され、充填圧力が減少する（Ｓ１）。このとき、消火剤チューブ３０が連通構造を有しているので、消火剤チューブ３０（消火用部分３１）のどの部分に孔が開いても、その充填圧力の減少が消火剤容器５２にも圧力スイッチ４２にも確実に伝達される。
【００５９】
そして、消火剤チューブ３０の充填圧力が減少したことに伴い、消火剤チューブ３０に接続されている消火剤ボンベ５２の圧力バルブ５２ａが開く。すると、充填されている消火剤が消火剤ボンベ５２から圧力バルブ５２ａ、バルブ接続端部３０ａを介して消火剤チューブ３０に流入する。消火剤チューブ３０には、発火に伴い孔が開いているので、その孔から消火剤が噴出し、発火したバッテリーにその消火剤が降りかかる。これにより、発火したバッテリーが消し止められ消火が実現される（Ｓ３）。
【００６０】
一方、消火剤収容ボックス６０において、消火剤チューブ３０（ボックス収容部分３２）には、ボックス内分岐部３２ｂ（分岐管４１）を介して圧力スイッチ４２が接続されている。そのため、消火剤チューブ３０の充填圧力の減少が圧力スイッチ４２に伝わり、その結果、圧力スイッチ４２が作動する（Ｓ４）。
【００６１】
圧力スイッチ４２は、接続ケーブル４３ａを介して、メインブレーカ４５のテストリード端子４５ｅに接続されている。そのため、圧力スイッチ４２が作動すると、テストリード線が導通して、メインブレーカ４５が負荷側端子４５ａ、４５ｂ、４５ｄにつながる回路を遮断し、その結果、電力の供給が遮断される。この動作によって、各漏電ブレーカ４６，４７，４８，４９を経由した各電源コンセント１９への電力の供給が停止される。すると、発火したバッテリー、その他のバッテリーも含め、すべての電源コンセント１９からの電力供給が停止される。これにより、発火したバッテリーが再度発火するおそれがなくなり、再発火の防止が実現される（Ｓ５）。
【００６２】
以上のように、消火充電ロッカー１０１では、２４個の収納ボックス２〜９が設置されているが、そのすべてに対して、消火剤チューブ３０が配置されている。その消火剤チューブ３０には、不活性ガスが加圧状態で充填され、しかも消火剤チューブ３０が連通構造を有する長尺管状の部材であるから、どの収納ボックス２〜９で発火が起きても、不活性ガスの噴出に続いて、消火剤ボンベ５２からのその噴出箇所への消火剤の供給、消火剤の噴出という一連の動作が実現される。そのため、どの収納ボックス２〜９で発火が起きても、その発火が確実に消し止められる。消火剤チューブ３０という単一（物理的に一体）の消火設備で２４個すべての収納ボックス２〜９内での発火が消火できる。また、消火剤チューブ３０が各収納ボックス２〜９の内側上面１６に固定されているから、収納ボックス２〜９内において、上方から消火剤が降りかかることとなり、より確実な消火が実現される。消火設備の点検は消火剤チューブ３０という単一の消火設備だけで済むから、手間も時間もかからないし、点検漏れが出るおそれもない。
【００６３】
消火充電ロッカー１０１では、段部積層構造を有するも、最上部に配置されている消火剤ボンベ５２から消火剤チューブ３０の末端まで、上から下に向かって一方向に消火剤が流れる。したがって、どの収納ボックス２〜９にも、消火剤ボンベ５２の消火剤が届き、どの収納ボックス２〜９で発火が起きても、その発火が確実に消し止められる。
【００６４】
一方、消火剤チューブ３０からの消火剤の噴霧によって、発火したバッテリーがいったんは消火されたとしても、その後、そのバッテリーへの電力供給が継続すると、その電力供給によって、再度そのバッテリーが発火するおそれがある。
【００６５】
しかしながら、消火充電ロッカー１０１では、圧力作動手段である圧力スイッチ４２が、消火剤チューブ３０の充填圧力の減少に伴い、電力供給遮断手段であるメインブレーカ４５を作動させる。すると、メインブレーカ４５によって回路が遮断され、その結果、電源コンセント１９への電力供給が停止される。したがって、消火充電ロッカー１０１では、バッテリーが再発火するおそれもなくなっているため、消火機能がより確実なものとなっている。
【００６６】
さらに、消火充電ロッカー１０１では、本体ボックス１の最上部に消火剤収容ボックス６０が固定され、その中に消火剤ボンベ５２とともに、ボックス収容部分３２と、圧力スイッチ４２と、メインブレーカ４５と、漏電ブレーカ４６〜４９とが収容されている。そのため、充電設備への電力供給に関わる設備も消火設備も一か所にまとめられているから、これら設備の点検作業の手間が軽減される。
【００６７】
また、消火剤収容ボックス６０には、圧力確認ゲージ５２ｂ、５２ｃが平面視で目視可能に収容されているが、その数値が適正であることさえ確認できれば（すべての収納ボックス２〜９内の消火剤チューブ３０を前面扉１０を開閉しながらわざわざ確認するまでもなく）、劣化、損傷等による不備が消火設備には無いことの確認ができる。万が一、数値が適正でないときは何らかの異常があると認められるから、その場合に収納ボックス２〜９内の消火剤チューブ３０を確認すればよい。以上のとおり、消火充電ロッカー１０１では、単一の消火設備で確実に消火できることはもちろん、それだけでなく、点検作業が簡便かつ確実に行えるように工夫されている。
【００６８】
（変形例１）
前述した消火充電ロッカー１０１は、本体ボックス１が段部積層構造を有して、複数の収納ボックスが備えられていた。そのほか、図９（ａ），（ｂ），（ｃ）に示す消火充電ロッカー１１１、１１２，１１３のように、収納ボックス２（２Ａ）だけ、収納ボックス２（２Ａおよび２Ｂ）だけ、収納ボックス２（２Ａおよび２Ｂ）と、収納ボックス３（３Ａおよび３Ｂ）を備えていてもよい。消火充電ロッカー１１１、１１２，１１３は消火充電ロッカー１０１と比べて、収納ボックスの個数が異なる点、消火剤チューブ３０の代わりに、消火剤チューブ３０と寸法が異なる（短い）消火剤チューブ３６，３７，３８がそれぞれ配置されている点を除いて共通する構成を有している。
【００６９】
（変形例２）
次に、図１０を参照して、変形例２に係る消火充電ロッカー１０２について説明する。図１０は、変形例２に係る消火充電ロッカー１０２の最上ボックス段部の右端に配置されている収納ボックスおよびその周辺につき、前面扉を開放して示した斜視図である。
【００７０】
消火充電ロッカー１０２は、消火充電ロッカー１０１と比較して、各収納ボックス２〜９に、電源コンセント１９の代わりに充電器５９が固定されている点で相違している。消火充電ロッカー１０１では、各収納ボックス２〜９に電源コンセント１９が固定されていた。そのため、バッテリー装着状態のまま小型電子機器が接続され、かつそのバッテリーが充電可能であるから、充電器を必要としないバッテリーの充電にも対応できる。これに対し、消火充電ロッカー１０２では、充電器５９が固定されているので、電動工具のバッテリーのように、専用の充電器が必要な場合でも、そのバッテリーだけを各収納ボックス２〜９に収納して充電することができる。
【００７１】
（変形例３）
次に、図１１、図１２を参照して、変形例３に係る消火充電ロッカー１０３について説明する。図１１は、変形例３に係る消火充電ロッカー１０３につき、その消火剤チューブ１３０の配置構造を模式的に示した正面図、図１２は消火充電ロッカー１０３に配置されている消火剤チューブ１３０を示した正面図である。消火充電ロッカー１０３は、消火充電ロッカー１０１とは比較して、消火剤チューブ３０の代わりに、消火剤チューブ１３０を有する点で相違している。
【００７２】
図１２に示すように、消火剤チューブ１３０は、複数の段部ライン１３１ａ〜１３８ａと、一本につながった真っすぐな下降ライン１３１ｂ〜１３８ｂとを有していて、これらが分岐部１３１ｄ〜１３８ｄでつながっている。各段部ライン１３１ａ〜１３８ａの末端にエンドアダプター１３１ｅ〜１３８ｅが接続されている。
【００７３】
このような消火剤チューブ１３０の構造を多段分岐構造ともいう。消火剤チューブ１３０は、本体ボックス１のような段部積層構造に適合したものである。消火剤チューブ１３０も、消火剤チューブ３０と同様に、不活性ガスが加圧状態で充填され、連通構造を有している。その段部ライン１３１ａ〜１３８ａと、下降ライン１３１ｂ〜１３８ｂとが消火剤チューブ３０と同様の消火用部分に相当している。
【００７４】
また、段部ライン１３１ａ〜１３８ａと、下降ライン１３１ｂ〜１３８ｂとが、それぞれ各収納ボックス２〜９に割り当てられていて、消火剤チューブ３０と同様、そのそれぞれの内側上面１６、内側側面１５に固定されている。
【００７５】
消火剤チューブ１３０は、消火剤チューブ３０と同様、収納ボックス２〜９におけるバッテリーの発火があったときに、その発火による熱で孔が開き、そこから窒素ガスが排出され、その孔から消火剤ボンベ５２の消火剤が噴出する。これによって、その発火が消火される。また、消火剤チューブ１３０においても、消火剤チューブ３０と同様、窒素ガスの充填圧力の低下に伴い、圧力スイッチ４２が作動する。そのため、メインブレーカ４５が作動して、電源コンセント１９への電力供給が遮断されるから、バッテリーの再発火も防止される。
【００７６】
特に、前述した消火剤チューブ３０は、一本の長尺管状部材であるから、その長尺状の部材を各収納ボックス２〜９を通して、屈曲させて折り返しながら配置する必要がある。そのため、各収納ボックス２〜９への配置に手間を要するし、そのＬ字状の屈曲部分にその他の部分とは異なる負荷がかかりやすい。この点、消火剤チューブ１３０は、段部ライン１３１ａ〜１３８ａと、下降ライン１３１ｂ〜１３８ｂとが分岐部１３１ｄ〜１３８ｄでつながることで１本につながった単一の管状部材であるから、各収納ボックス２〜９への配置の際に屈曲させる必要がない。その分、各収納ボックス２〜９へ簡易に配置できる。
【００７７】
（そのほかの変形例）
消火充電ロッカー１０１、１０２，１０３では、消火剤収容ボックス６０が本体ボックス１の外側上面１ａに固定されているが、消火剤収容ボックス６０がそれとは別の場所（例えば、本体ボックス１の側面上部）に固定されていてもよい。また、消火充電ロッカー１０１、１０２，１０３では、充電設備として電源コンセント１９またはバッテリー充電器５９が備えられていたが、これらの代わりに携帯電話機の充電プラグ（図示せず）が備えられてもよい。その場合、各収納ボックス２〜９のすべてに同じ電源コンセント１９またはバッテリー充電器５９が備えられる代わりに、収納ボックスごとに異なる充電設備が備えられてもよい。例えば、ボックス段部２１〜２４の収納ボックスには電源コンセント１９、ボックス段部２５〜２７の収納ボックスにはバッテリー充電器５９、ボックス段部２８の収納ボックスには充電プラグが備えられてもよい。
【産業上の利用可能性】
【００７８】
本発明を適用することにより、収納ボックスの設置数に関わらず、内部で発生する発火がすべての収納ボックスについて単一の消火設備で確実に消火できて、点検作業が簡便かつ確実に行えるように工夫された構造を有する消火充電ロッカーが得られる。本発明は、消火充電ロッカーの分野で利用することができる。
【符号の説明】
【００７９】
１…本体ボックス、２，３，４，５，６，７，８，９…収納ボックス、１０…前面扉、１５…内側側面、１６…内側上面、１９…電源コンセント、２１，２２，２３，２４，２５，２６，２７，２８…ボックス段部、３０，３６，３７，３８，１３０…消火剤チューブ、３１…消火用部分、３２…ボックス収容部分、３３ａ…上流端部、３３ｂ…下流端部、３３ｃ，１３１ａ，１３２ａ，１３３ａ，１３４ａ，１３５ａ，１３６ａ，１３７ａ、１３８ａ…段部ライン、３３ｄ，１３１ｂ，１３２ｂ，１３３ｂ，１３４ｂ，１３５ｂ，１３６ｂ，１３７ｂ、１３８ｂ…下降ライン、４２…圧力スイッチ、４５…メインブレーカ、５２…消火剤ボンベ、６０…消火剤収容ボックス、１０１，１０２，１０３，１１１，１１２，１１３…消火充電ロッカー、１３１ｄ，１３２ｄ，１３３ｄ，１３４ｄ，１３５ｄ，１３６ｄ，１３７ｄ，１３８ｄ…分岐部。
【要約】
【課題】収納ボックスの設置数に関わらず、その内部で発生する発火がすべての収納ボックスについて単一の消火設備で確実に消火できて、点検作業が簡便かつ確実に行えるように工夫された構造を有する消火充電ロッカーを提供する。
【解決手段】収納ボックス２、３が備えられた本体ボックス１と、消火剤容器５２が収容され、かつ本体ボックス１に固定されている消火剤収容ボックス６０と、収納ボックス２の内部に備えられた電源コンセント１９と、消火剤容器５２に圧力バルブ５２ａを介して接続され、かつ不活性ガスが加圧状態で充填されている消火剤チューブ３０とを有する。消火剤チューブ３０は、消火剤収容ボックス６０から導出されている部分が消火用部分３１であって、消火用部分３１が収納ボックス２，３のすべてを通り、かつそのすべての内側上面１６に固定された状態で配置されている。
【選択図】図２【図１】
0006925092.tif 000002
【図２】
0006925092.tif 000003
【図３】
0006925092.tif 000004
【図４】
0006925092.tif 000005
【図５】
0006925092.tif 000006
【図６】
0006925092.tif 000007
【図７】
0006925092.tif 000008
【図８】
0006925092.tif 000009
【図９】
0006925092.tif 000010
【図１０】
0006925092.tif 000011
【図１１】
0006925092.tif 000012
【図１２】
0006925092.tif 000013
【図１３】
0006925092.tif 000014
【図１４】
0006925092.tif 000015